(57)【特許請求の範囲】
【請求項１】
植生マットを河川護岸域に敷設し、その上からネット体を、河川下流側のネット体の上流側部分に、隣り合う河川上流側のネット体の下流側部分を上方から重ね合わせた状態で覆い被せ、この重ね合わせた部分にアンカーを打設することで固定することを特徴とする河川植生護岸工法。
【請求項２】
可撓性を有するネット材に芝生マットを一体化させてなる植生マットを河川護岸域に敷設し、その上からネット体を、河川下流側のネット体の上流側部分に、隣り合う河川上流側のネット体の下流側部分を上方から重ね合わせた状態で覆い被せ、この重ね合わせた部分にアンカーを打設することで固定することを特徴とする河川植生護岸工法。
【請求項３】
可撓性を有するネット材を河川護岸域に敷設し、その上から植生マットを張設し、さらにその上からネット体を、河川下流側のネット体の上流側部分に、隣り合う河川上流側のネット体の下流側部分を上方から重ね合わせた状態で覆い被せ、この重ね合わせた部分にアンカーを打設することで固定することを特徴とする河川植生護岸工法。
【発明の詳細な説明】
【０００１】
【発明の属する技術分野】
本発明は、たとえば河川の堤防などの植生護岸に用いる河川植生護岸工法に関する。
【０００２】
【従来の技術】
たとえば河川堤防の法面の護岸に際して、従来は、主として防災の見地から、コンクリートブロックを堤防の法面に張り付けるブロック工法や、コンクリートブロックを不織布に張り付けて、これを法面に張り付けるブロックマット工法が施工されてきたが、近年では、親水護岸の形成など景観的見地から、さらにはコスト面から、芝生による護岸の形成に対する要望が高まりつつある。
【０００３】
【発明が解決しようとする課題】
そこで、圃場で生育させた芝生マットを河川の水表の表面に施工する工法が採用されるようになったが、単に芝生マットを法面に張り付けていたがために、加えて、芝の根の法面への侵入深さが比較的浅いために、たとえば河川の増水時には、流水によって芝生マットが簡単に剥がれて流失してしまい、護岸機能を早期に失って、流水による法面の浸食が起こり易いという問題があった。
【０００４】
上記の問題は、特に芝生マットの施工直後に顕著であることから、法面に芝生マットを張り付けた段階で、この芝生マットをアンカーなどで法面に止着することも試みられたのであるが、芝生マット自体の保形強度が弱いことから、流水を受けた際にアンカーなどの止着部が崩れて、芝生マットがアンカーから抜け外れ、やがては法面から剥がれてしまうことに変わりはなかったのである。
【０００５】
本発明は上述の事柄に留意してなされたもので、その目的は、根が法面土壌に固定する前から流水などによる法面の侵食を防止することができるとともに、法面の景観の向上を図ることが可能である河川植生護岸工法を提供することである。
【０００６】
【課題を解決するための手段】
上記目的を達成するために、本発明の河川植生護岸工法は、植生マットを河川護岸域に敷設し、その上からネット体を、河川下流側のネット体の上流側部分に、隣り合う河川上流側のネット体の下流側部分を上方から重ね合わせた状態で覆い被せ、この重ね合わせた部分にアンカーを打設することで固定することを特徴としている（請求項１）。
【０００７】
また、本発明は、別の観点から、可撓性を有するネット材に芝生マットを一体化させてなる植生マットを河川護岸域に敷設し、その上からネット体を、河川下流側のネット体の上流側部分に、隣り合う河川上流側のネット体の下流側部分を上方から重ね合わせた状態で覆い被せ、この重ね合わせた部分にアンカーを打設することで固定することを特徴とする河川植生護岸工法を提供する（請求項２）。
そして、本発明は、さらに別の観点から、可撓性を有するネット材を河川護岸域に敷設し、その上から植生マットを張設し、さらにその上からネット体を、河川下流側のネット体の上流側部分に、隣り合う河川上流側のネット体の下流側部分を上方から重ね合わせた状態で覆い被せ、この重ね合わせた部分にアンカーを打設することで固定することを特徴とする河川植生護岸工法を提供する（請求項３）。
【０００８】
上記の構成により、例えば、芝生の根が法面土壌に固定する前から流水などによる法面の侵食を防止することができるとともに、法面の景観の向上を図ることが可能である。
【０００９】
【発明の実施の形態】
以下、この発明の実施例を、図を参照しながら説明する。
図１は、本発明の第一実施例に係る河川植生護岸工法の構成を概略的に示す状況説明図である。なお、図１において、図中のＲは、水の流れ方向である。
第一実施例は、法面Ｎに、植生マット１を敷設し、その上からネット体２を覆い被せて固定することで行われる。
【００１０】
図２は、植生マット１の製造例を示す分解斜視図である。
前記植生マット１は、たとえば幅が５０〜２００ｃｍ程度で、長さが１００〜５００ｃｍ程度の矩形状のものであり、可撓性を有するネット材３（以下、単にネット材３という）に芝生マット４を一体化させてなる。具体的には、図２に示すように、可撓性を有するネット材３を圃場５に敷設し、このネット材３の上に芝のランナー６を撒き出して覆土７を施し、かつ、ランナー６が生育し芝の根がネット材３に絡まって、ランナー６が芝生マット４に生育した段階で、ネット材３の下側に伸びた根を切断しつつ、このネット材３を圃場５から剥がし取ることで、可撓性のネット材３に芝生マット４を一体化させた植生マット１が製造される。そして、このように製造された植生マット１は、ロール状に巻かれた状態で現地の施工位置まで運搬等され、施工位置にて展開された状態で敷設される。
【００１１】
なお、前記植生マット１の製造過程において、ネット材３の周縁部に角材（図示せず）などを配置して、植生マット１を製造した段階で、前記角材などを取り出すことで、植生マット１の周縁部に、芝生マット４が形成されていないネット部分（図示せず）を張り出させるようにしてもよい。
【００１２】
また、上記の角材などの配置を省略して、植生マット１の製造後に芝生マット４の周辺部を崩し取り、上記のように、植生マット１の周縁部にネット部分を張り出させるようにしてもよい。
【００１３】
ところで、使用される芝を、例えば、野芝、高麗芝等の暖地型の芝生とした場合には、芝生が密に形成され、メンテナンスが比較的容易であるという利点を得ることができる。また、使用される芝を、例えば、トールフェスク、ブルーグラス類、ベントグラス類等のいわゆる洋芝と呼ばれる芝生とした場合には、主に種子を使用して芝生の生育を図ることができることからその取り扱いが簡単であり、また、発芽および成長が早く、均一な芝生を早期に形成できるという利点を得ることができる。
【００１４】
前記ネット材３は、植生マット１が、その形成時から運搬・施工時までの段階において、植生マット１としての形状を保つことを可能とするためのものであり、ネット材３に必要とされる強度は、前記ネット体２に必要とされる強度に比して低く、前記植生マット１の形状を保持させることができる程度の強度を有していればよい。
【００１５】
前記ネット材３は、例えば、ナイロンやポリエステル、アラミド、カーボン、ガラス、ポリアセタール樹脂等の耐久性に富む繊維や、生分解性プラスチック、天然繊維、ジュート繊維等の繊維の単体又はそれらの組合せを素材とするものであり、ラッセル織り、絡み織り、平織り、熱溶着などの手段により製造される。また、ネット材３は、芝生の根が絡めばよいのであり、植物種子の発芽や幼芽の生育の妨げにならないような粗い網目、例えば、目合い（縦横）５〜２０ｍｍ程度の格子状に成形すればよいが、上記の繊維による線条を用いて、上記と同様の目合いを網状体に編組したものにしてもよく、これら両者を重ね合わせてもよいのである。
【００１６】
また、植生マット１がネット材３の無い状態でもその形状を保持できる段階に達した後には、前記ネット材３は必要なくなることから、その段階以降に、腐食してしまう素材を用いてもかまわない。
【００１７】
前記ネット材３が腐食性素材からなる場合には、やがては腐食して土壌と同化し、ひいては肥料としての効果を発揮し、また、法面Ｎに残留物として残らないため、公害にならない。また、上記ネット材３が、上記腐食性素材以外の素材、たとえば、ポリエチレン、ポリプロピレン等のプラスチック素材からなる場合には、腐食しない代わりに、長期にわたって法面保護の効果が持続されるので、植物の植被が緩慢な郷土種の植物を主に使用する場合や、急傾斜法面における緑化を図る場合などに特に有効である。
【００１８】
その他、ネット材３の他の実施例として、ネットを構成する経糸、緯糸の少なくとも一方を、天然繊維、たとえばジュート繊維と生分解性プラスチック糸とを引き揃えて、（ラッセル織りの場合は経糸又は緯糸の鎖に単に挿入して）ネットの構成糸として縦横３〜２５ｍｍの目合いのネットを編織する場合があり、こうすると、天然繊維が短期間に腐食した後にも生分解性の糸がしばらくは（約２年程度）補強材として機能する。生分解性糸の引き揃え又は挿入は、ネットを構成する糸の一本または数本おきに入れる場合がある。
【００１９】
前記ネット体２は、河川法面Ｎに敷設された植生マット１中の芝生の根が法面Ｎの土壌に固定する前の段階から、流水などによる法面Ｎの侵食を防止するために、前記植生マット１を覆うことにより、植生マット１を法面Ｎに固定するものであり、高い張力で張られた状態で用いられる。このため、ネット体２に必要とされる強度は、前記ネット材３に必要とされる強度に比して高く（例えば、０．５〜５．０トン／１ｍ幅）、また、前記植生マット１を長期間にわたって覆うことを目的としたものであるから、腐食しない材料からなるものが望ましい。
【００２０】
そして、前記ネット体２の目合いは、ネット体２を張設した後、芝の茎葉がネット体２を通芽（挿通）できる程度の大きさ（例えば、１５〜３０ｍｍ程度）となるように形成することが望ましい。すなわち、ネット体２の目合いを、上記の大きさ以上とすると、流水によって植生マット１が破壊されるおそれがあり、また、前記ネット体２の目合いを、上記の大きさ以下とすると、芝の茎葉がネット体２を通芽不良（挿通しにくい状態）となる。なお、前記ネット体２は、可撓性をほとんど有していないものを用いて構成してもよく、例えば一般的に用いられている金網などで構成してもよい。
【００２１】
なお、ネット体２の大きさは、施工される面積等を考慮して決定すればよいのであり、前記ネット材３とほぼ同じ大きさとしてもよく、複数のネット材３を覆える程度の大きさ（例えば横に３枚隣接した状態で設置されたネット材３，３，３を覆える程度の大きさ）としてもよい。
【００２２】
次に、河川法面Ｎの植生護岸例について説明する。
まず、図１および図３に示すように、法尻の湛水域又はかなりの期間湛水する部分を適宜掘削して、この掘削部に、例えばカゴマット８の張り工法を実施（その他、捨て石やフトンカゴの敷設も好適である。）する。
【００２３】
この際、カゴマット８の下側に、上記のネット体２と同様のネット材９を適宜の幅にわたって敷き込んで、その上辺部９ａを、カゴマット８の上部の法面Ｎ側（護岸域側）に突出させておく。一方、想定される増水時の最高水位付近、好ましくは図示するように、最高水位Ｈよりもやや上部側の護岸域にも、上記のネット体２と同様のネット材１０を、その一部１０ａを突出させて埋設しておく。
【００２４】
さらに、図４にも示すように、上下のネット材１０，９にわたって護岸域内に、増水時の流速を勘案して例えば１０〜３０ｍの間隔で、かつ、一部１１ａを下流側に向けて突出させるように、上記のネット体２と同様のネット材１１を埋設しておくのであり、かつ、必要に応じて、これらのネット材１０，１１をアンカー１２止めしておく。
【００２５】
そして、図１に示すように、前記植生マット１を、例えば護岸域の下流側から上流側に向けて且つ護岸域の下部側から上部側に向けて法面Ｎに敷設するのである。
【００２６】
図５および図６は、前記芝生護岸工法の構成を概略的に示す斜視図および説明図である。
前記芝生護岸工法では、まず、前記植生マット１を法面Ｎに敷設し、その上から前記ネット体２を覆い被せた状態で固定するだけでよい。
【００２７】
前記植生マット１の敷設時、すなわちネット体２を植生マット１に覆い被せる前においては、各植生マット１は法面Ｎに並べられているだけである。なお、このときに、各植生マット１をアンカー止めしてもよい。植生マット１のアンカー止めの手順としては、後述するネット体２を固定する際の手順を、植生マット１のネット材３を固定する手順としてそのまま用いることで実施することが可能である。
【００２８】
そして、前記ネット体２を植生マット１に覆い被せたあとの固定は、植生マット１およびネット体２をアンカー１３止めすることで行うことができる。
【００２９】
ネット体２，２…を重ねずに並べて固定する場合には、隣接するネット体２，２同士を、縫製・結束などの手段によって連結するようにしてもよいし、あらかじめ連結できるように構成しておいたり、専用の連結具等を用いることで連結するようにしてもよい。そして、このように連結した状態のネット体２，２…と植生マット１，１…とを、アンカー止めすることで、芝生護岸工法が完了する。
【００３０】
また、隣り合うネット体２，２の端部と端部とを重ねて固定する場合には、上述したネット体２，２同士を重ねない場合に用いた連結手段を採用してもよいが、このような手段を採用せずに、図３、図４、図５に示すように、アンカー１３止めをネット体２，２を重ね合わせた部分に行うようにすれば、ネット体２，２同士の連結と、ネット体２自体の固定とを同時に行うことが可能となり、この場合には、コストダウンを図ることができるとともに、ネット体２，２…の施工をより早く、かつ簡単に行うことが可能となる。
【００３１】
以下に、隣り合うネット体２，２の端部と端部とを重ねて固定する場合の手順について、図３および図４等を参照しながら説明する。
まず、護岸域下部側のネット体２については、カゴマット８の下側から法面Ｎ側に突出させたネット材９の上辺部９ａに、ネット体２を上方から重ね合わせて、アンカー１３を打設するのであり、上下方向において隣接するネット体２，２については、下部側のネット体２の上部側部分に、上部側のネット体２の下部側部分を上方から重ね合わせて、この重ね合わせた部分にアンカー１３を打設するのである。
【００３２】
また、護岸域上部側のネット体２については、ネット材１０の突出辺部１０ａに、ネット体２を上方から重ね合わせて、アンカー１３を打設すればよい。
【００３３】
一方、護岸域の下流側から上流側に向けて張設されるネット体２については、下流側のネット体２の上流側部分に、上流側のネット体２の下流側部分を上方から重ね合わせて、この重ね合わせた部分にアンカー１３を打設するのである。また、ネット材１１に対しては、ネット体２の上流側部分を重ね合わせて、コイル線材や脚部がＬ型に折り曲げられたステイプル、縫製などの適宜の連結手段を用いて連結し、この重ね合わせ部分に、上流側のネット体２の下流側部分を重ね合わせて、アンカー１３を打設するのである。
【００３４】
なお、上下ならびに左右方向で隣り合うネット体２，２のそれぞれの重ね合わせ部分と、護岸域上部側のネット体２とネット材１０との重ね合わせ部分とについては、これらのネット体２およびネット材１０を、例えば脚部がＬ型に折り曲げられたステイプルなどの接続金具１４に係止させるのであり、かつ、必要に応じて植生マット１またはネット体２を覆うように、覆土１５（図１参照）を行うのである。
【００３５】
なお、前記ネット材９，１０とネット体２とのそれぞれの重なり部分の下側に、前記植生マット１を配置させて、これらをまとめてアンカー止め１３するようにすれば、アンカー止め１３を行う箇所を減らすことが可能となる。
【００３６】
上述のように、護岸域の中央部分に配置されたネット体２，２…は、アンカーなどを用いて法面Ｎに固定すればよく、護岸域の周囲端部すなわち護岸域の下部側、上部側、上流側および下流側に設けられたネット体２，２は、土中に埋め込んだり、重量のある載荷物の下側に敷設した別のネット体２と連結したり、護岸域の周辺に設けられた構造物に連結するなどして固定すればよい。
【００３７】
上記の構成からなる芝生護岸工法によれば、ネット体２によって法面Ｎに敷設された植生マット１，１…を確実に保持することができ、植生マット１中の芝生等の移動、流亡が確実に防止されるため、施工直後から、施工面の浸食を防止することができ、かつ、施工面の景観の向上を図ることが可能となり、その結果、法面Ｎが確実に緑化保護されることとなる。
【００３８】
また、前記ネット体２を耐用年数が長い素材で構成することで、植生マット１，１…を長期間にわたってより強力に保持することができる。
【００３９】
さらに、上記の構成からなる芝生護岸工法では、従来のブロックマット工法等と比較して、低コストを実施することができる。
【００４０】
また、上記の構成からなる芝生護岸工法では、前記植生マット１およびネット体２を人力で運搬等可能としており、特に、前記植生マット１をコンパクトなロール状にして施工位置まで運搬できることから、施工を全て人力で、かつ容易に行うことができる。
【００４１】
なお、上記の構成からなる芝生護岸工法において、前記植生マット１を、芝生マット４のみとしてもよい。さらに、この芝生マット４を張設する前に、前記ネット材３と同様の可撓性を有するネット材（図示せず）を法面Ｎに敷設しておいてもよい。この場合には、芝生マット４の芝の根が、芝生マット４の下面側にあるネット材に絡みつくことから、芝生マット４の法面Ｎへの固定が、より確実なものとなる。
【００４２】
また、上記の構成からなる芝生護岸工法において、前記植生マット１を張設する前に、前記ネット材３と同様の可撓性を有するネット材（図示せず）を法面Ｎに敷設しておいてもよい。この場合には、植生マット１の芝の根が、植生マット１の下面側にあるネット材に絡みつくことから、植生マット１の法面Ｎへの固定が、より確実なものとなる。
【００４３】
【発明の効果】
以上説明したような構成からなる本発明では、例えば、芝生の根が法面土壌に固定する前から流水などによる法面の侵食を防止することができるとともに、法面の景観の向上を図ることが可能である。
【図面の簡単な説明】
【図１】  本発明の第一実施例に係る河川植生護岸工法の構成を概略的に示す状況説明図である。
【図２】  上記実施例における植生マットの製造例を示す分解斜視図である。
【図３】  一部を取り出して拡大図示した植生護岸の縦断側面図である。
【図４】  一部を取り出して拡大図示した植生護岸の説明図である。
【図５】  上記実施例の構成を概略的に示す斜視図である。
【図６】  上記実施例の構成を概略的に示す説明図である。
【符号の説明】
２…ネット体、４…芝生マット、１３…アンカー、Ｎ…法面。
【図１】
0004361195.tif 000002
【図２】
0004361195.tif 000003
【図３】
0004361195.tif 000004
【図４】
0004361195.tif 000005
【図５】
0004361195.tif 000006
【図６】
0004361195.tif 000007